(57)【要約】【課題】雨水貯留槽を、大型重機を使用しなくても設置でき、且つ、形状が複雑でも簡単に建設できるようにする。【解決手段】地上に形成する雨水貯留槽１の外周位置に、複数の堰き止め部材４を並べて堰５を設置すると共に、堰５で囲まれた範囲の地面上と、堰５の内周面とにわたって水密状態に防水シート６を敷設して、防水シート６で囲まれた雨水貯留槽１に雨水を導入可能、及び、排水可能に形成し、防水シート６の上に、蓋部材８を支持可能な荷重支持部材９を立設し、その上から蓋部材８を設置して内空部の遮光を図った状態の雨水貯留槽１を形成する。【選択図】図２
2010150826.tif 000002
【特許請求の範囲】
【請求項１】
地上に形成する雨水貯留槽の外周位置に、複数の堰き止め部材を並べて堰を設置すると共に、
前記堰で囲まれた範囲の地面上と、前記堰の内周面とにわたって水密状態に防水シートを敷設して、前記防水シートで囲まれた雨水貯留槽に雨水を導入可能、及び、排水可能に形成し、
前記防水シートの上に、蓋部材を支持可能な荷重支持部材を立設し、
その上から前記蓋部材を設置して内空部の遮光を図った状態の雨水貯留槽を形成する雨水貯留槽形成方法。
【請求項２】
前記蓋部材の上に植栽部を形成すると共に、前記蓋部材は、植栽部を通過した水を通水可能に形成しておく請求項１に記載の雨水貯留槽形成方法。
【請求項３】
請求項１又は２に記載の雨水貯留槽形成方法によって形成した雨水貯留槽。
【発明の詳細な説明】
【技術分野】
【０００１】
本発明は、雨水を、一時（又は長時間）的に貯留することが可能な雨水貯留槽に係わる技術である。
この雨水貯留槽技術を使用することで、例えば、集中豪雨時に、雨水貯留槽に雨水を貯留して、その集中豪雨がおさまってから時間差を付けて排水し、集中豪雨時のピーク処理量を減少させることが可能となる。
また、違った利用方法としては、当該雨水貯留槽に雨水を貯留しておき、断水時に、貯留した水を使用することも挙げることができる。
【背景技術】
【０００２】
従来、この種の雨水貯留槽技術としては、地盤を掘削して、例えば、コンクリート材料等によって貯留容器を形成すると共に、その貯留容器の中に礫状材を充填し、その礫状材の間隙を貯水空間とした貯留槽を形成するもの（以後、第１従来例という）があった。
また、別の例としては、建物の屋上に形成するタイプのものがあり、屋上に、例えば、コンクリート材料等によって貯留容器を形成すると共に、その内部に礫状材を充填し、その礫状材の間隙を貯水空間とした貯留槽を形成するもの（例えば、特許文献１参照）があった（以後、第２従来例という）。
【０００３】
【特許文献１】特開平６−３１９３７８号公報（図１）
【発明の開示】
【発明が解決しようとする課題】
【０００４】
上述した従来の雨水貯留槽技術に関して、前記第１従来例よれば、地面を掘削し、その掘削範囲内に型枠を組み、鉄筋の配筋、及び、コンクリート打設等の一連の工事を実施する必要があり、大型重機を使用した作業となる。よって、例えば、敷地内に大型重機等が立ち入れないような環境条件下（敷地内に既に建物等が建設されており、重機の出入り口を確保できないような条件）においては、実質的に雨水貯留槽の建設が不可能となる。
更には、平面形状が複雑になると、型枠の加工に手間がかかり、設置作業の効率や経済性が低下する。
前記第２従来例によれば、貯留容器を形成するための型枠工事や配筋工事やコンクリート打設工事を実施する必要があるが、それらの各作業に手間が掛かりやすく、雨水貯留槽の設置作業の効率や経済性が低下する。また、屋上での作業となるから、資機材の搬入搬出作業は、平地で実施するのに比べてより手間がかかる。
【０００５】
従って、本発明の目的は、上記問題点を解消し、雨水貯留槽を、大型重機を使用しなくても設置でき、且つ、形状が複雑でも簡単に建設できる雨水貯留槽技術を提供するところにある。
【課題を解決するための手段】
【０００６】
本発明の第１の特徴構成は、地上に形成する雨水貯留槽の外周位置に、複数の堰き止め部材を並べて堰を設置すると共に、前記堰で囲まれた範囲の地面上と、前記堰の内周面とにわたって水密状態に防水シートを敷設して、前記防水シートで囲まれた雨水貯留槽に雨水を導入可能、及び、排水可能に形成し、前記防水シートの上に、蓋部材を支持可能な荷重支持部材を立設し、その上から前記蓋部材を設置して内空部の遮光を図った状態の雨水貯留槽を形成するところにある。
【０００７】
本発明の第１の特徴構成によれば、地上に形成する雨水貯留槽の外周位置に、複数の堰き止め部材を並べて堰を設置すると共に、前記堰で囲まれた範囲の地面上と、前記堰の内周面とにわたって水密状態に防水シートを敷設することで雨水貯留槽を形成するから、極めて簡単に設置工事を実施することができる。
即ち、地面を大型重機で掘削したり、型枠工事や鉄筋配筋工事を実施しなくても、複数の堰き止め部材を並べるだけで堰を形成でき、作業手間を著しく低減させることができる。
また、雨水貯留槽の平面形状が複雑であっても、堰き止め部材をその平面形状に沿って並べるだけで複雑な形状の堰を形成できるから、特に手間を掛けずに各種形状に対応できる。その結果、敷地内に建っている建物に沿わせた雨水貯留槽を形成したり、敷地内の障害物を避けた範囲に雨水貯留槽を形成したり、自由な形状に簡単に雨水貯留槽を形成することができる。
防水シートの上に、蓋部材を支持可能な荷重支持部材を立設し、その上から前記蓋部材を設置して内空部の遮光を図った状態の雨水貯留槽を形成するから、従来のように貯留槽の内空部に礫状材を充満させるのに比べて、有効貯留容積を大きく確保し易くなり、外形は同じでも雨水貯留量の大きい雨水貯留槽を形成することができる。
また、荷重支持部材の上から蓋部材を設置して内空部の遮光を図った状態の雨水貯留槽を形成するから、太陽光が貯留水に照射されて水の腐敗が促進されるのを緩和することができ、貯留水の清純度をより長く維持し易くなる。
一方、蓋部材は、荷重支持部材によって支持されているから、蓋部材の上方を、例えば、植栽や運動場や駐車場等に有効に利用することが可能となる。
【０００８】
本発明の第２の特徴構成は、前記蓋部材の上に植栽部を形成すると共に、前記蓋部材は、植栽部を通過した水を通水可能に形成しておくところにある。
【０００９】
本発明の第２の特徴構成によれば、雨水を雨水貯留槽に溜めることができるのに加えて、植栽部に散水された水も、下方の雨水貯留槽に落下するから貯留水として利用することができ、水を無駄なく貯留することができる。
一方、雨水貯留槽に水が溜まっていると、水の蒸散作用によって上方の植栽部が乾燥するのを緩和でき、植栽の育生を促進し易い。
【００１０】
本発明の第３の特徴構成は、請求項１又は２に記載の雨水貯留槽形成方法によって形成したところにある。
【００１１】
本発明の第３の特徴構成によれば、外周位置に、複数の堰き止め部材を並べた堰が設置され、前記堰で囲まれた範囲の地面上と、前記堰の内周面とにわたって水密状態に防水シートが敷設され、前記防水シートで囲まれた雨水貯留槽内空部に雨水を導入可能、及び、排水可能に形成され、前記防水シートの上に、蓋部材を支持可能な荷重支持部材が立設され、その上から遮光性を備えた蓋部材が設置されて前記内空部を覆ってあるから、極めて簡単に設置工事を実施することができる。
即ち、地面を大型重機で掘削したり、型枠工事や鉄筋配筋工事を実施しなくても、複数の堰き止め部材を並べるだけで堰を形成でき、作業手間を著しく低減させることができる。
また、雨水貯留槽の平面形状が複雑であっても、堰き止め部材をその平面形状に沿って並べるだけで複雑な形状の堰を形成できるから、特に手間を掛けずに各種形状に対応できる。その結果、敷地内に建っている建物に沿わせた雨水貯留槽を形成したり、敷地内の障害物を避けた範囲に雨水貯留槽を形成したり、自由な形状に簡単に雨水貯留槽を形成することができる。
荷重支持部材は、立設させるものを使用してあるから、例えば、柱状であったり筒状であるものを使用すれば、貯留槽の内空部に礫状材を充満させてある従来のものに比べて、有効貯留容積を大きく確保し易くなり、外形は同じでも雨水貯留量の大きい雨水貯留槽を形成することができる。
また、荷重支持部材の上から蓋部材を設置して内空部の遮光を図ってあるから、太陽光が貯留水に照射されて水の腐敗が促進されるのを緩和することができ、貯留水の清純度をより長く維持し易くなる。
一方、蓋部材は、荷重支持部材によって支持されているから、蓋部材の上方を、例えば、植栽や運動場や駐車場等に有効に利用することが可能となる。
更には、当該雨水貯留槽を撤去する必要が生じた際にも、各構成パーツを小分けして解体することが可能で、撤去作業を効率よく実施できる。また、撤去後は、特に改修工事を実施しなくても平地として復旧することができる。
前記蓋部材の上に植栽部を形成すると共に、前記蓋部材は、植栽部を通過した水を通水可能に形成してあれば、植栽部に散水された水も、下方の雨水貯留槽に落下するから貯留水として利用することができ、水を無駄なく貯留することができる。
一方、雨水貯留槽に水が溜まっていると、水の蒸散作用によって上方の植栽部が乾燥するのを緩和でき、植栽の育生を促進し易い。
【発明を実施するための最良の形態】
【００１２】
以下に本発明の実施の形態を図面に基づいて説明する。
【００１３】
図１、図２は、本発明の雨水貯留槽に係わる技術で形成された雨水貯留槽の一実施形態品を示すものである。
【００１４】
当該雨水貯留槽１は、既存地盤２の上に下地調整用の調整土層３を形成して、その上に設置されている。
【００１５】
雨水貯留槽１の外周位置の全周にわたって、複数の堰き止め部材４を並べて堰５を形成してある。
堰５の内側には、図２に示すように、前記調整土層３上面と堰５内周面とにわたって防水シート６が敷設してあり、防水シート６で囲まれた雨水貯留槽内空部７に雨水を導入可能、及び、排水可能に形成してある。
前記防水シート６の上に、蓋部材８を支持可能な荷重支持部材９が立設され、その上から遮光性を備えた蓋部材８が設置されて前記内空部７を覆ってある。
また、蓋部材８の上に植栽部１０を形成すると共に、前記蓋部材８は、植栽部１０を通過した水を通水可能に形成してある。
【００１６】
前記堰き止め部材４は、コンクリート製のプレキャスト部材で、断面形状が「コ」字形状に形成したブロック材で構成してある。
尚、設置姿勢は、断面形状「コ」字形状の開口を下方向に向けた姿勢で設置してある。
当該実施形態においては、短尺の堰き止め部材４を長手方向に沿って隣接状態に配置して、目地部分をモルタルシールすることで、一連となるように形成してある。
また、この堰き止め部材４の両側壁部の内、前記内空部７側の側壁部４ａには、上端部と上下中間部とにそれぞれ貫通孔Ｈａ、Ｈｂが形成してある。一方、両側壁部の内、外側に配置されている側壁部４ｂには、下端部に貫通孔Ｈｃが形成してある。
前記貫通孔Ｈａは、雨水貯留槽１の内空部７に連通状態に設けられており、前記内空部７に入った水が、貯留槽内での高水位まで達した状態でオーバーフローするときに通過するように構成されている。
前記貫通孔Ｈｂは、やはり、雨水貯留槽１の内空部７に連通状態に設けられており、前記内空部７に入った水が、貯留槽内での平常水位まで達した状態でオーバーフローするときに通過するように構成されている。
前記貫通孔Ｈｃは、外部への排水管１１が連通接続してあり、前記両貫通孔Ｈａ，Ｈｂから流出した水を排水できるように構成されている。
因みに、貫通孔Ｈｂは、貫通孔Ｈａ，Ｈｃに比べて小径に形成してある。
集中豪雨等で雨水が前記内空部７に流入すると、図４（ａ）に示すように、水位が上昇し、前記高水位まで上昇し、それ以上の雨水の流入に関しては、前記貫通孔Ｈａからオーバーフローして排出される。但し、雨水の流入時からオーバーフロー時までの間は、一時的に雨水を当該貯留槽に貯留しているから、河川等への降雨の流入量をその間、減らすことができ、降雨ピークをずらして、洪水等の防止を図ることが可能となる。
また、貫通孔Ｈｂは、図４（ｂ）に示すように、高水位の貯留水を、徐々に排水して平常水位まで低下させるのに有効に作用する。平常水位まで貯まっている水は、災害時等の非常用水として使用することができる。
因みに、貯まっている水を揚水できるようにして、図２に示すように、ポンプＰを設けてある。
当該堰き止め部材４の中空部は、前記貫通孔Ｈａ，Ｈｂから流れでた水の排水路の一部になるが、底の部分には既存地盤２が露出状態に位置しているから、その露出部分から既存地盤２に水が浸透する作用もあり、洪水対策に寄与している。
【００１７】
前記防水シート６は、当該実施形態においては、塩化ビニル製のものであり、この防水シート６の表裏面には、この防水シート６の保護の役割で養生シート１２が重ねて敷設されている。従って、下地面から突出した石等の突起物や、防水シート上に立設する荷重支持部材９で防水シート６が傷付くのを、この養生シート１２の保護効果で未然に防止することができる。その結果、雨水貯留槽１からの水漏れを防止できる。
【００１８】
前記荷重支持部材９は、図３、図４に示すように、合成樹脂をハット状に成形して得られたものであり、上面、及び、周面には、貯留水が内外に流通できる多数の穴９ａが形成されている。上方に設置される蓋部材８からの荷重を支持できるように設計されている。
【００１９】
前記蓋部材８は、合成樹脂製の穴あきボードで構成してある。矩形形状に成形されている各蓋部材８を、前記各荷重支持部材９上にわたって敷き並べてある。
上方からの水は、蓋部材８の穴８ａを通して下方に降下する。
【００２０】
前記植栽部１０は、植栽土壌層１０ａに例えば芝等の植物１０ｂを植えて構成されている。
【００２１】
次に、当該雨水貯留槽１の形成方法について説明する。
［１］雨水貯留槽１を形成する予定範囲の既存地盤２上に、真砂土等を敷き均して調整土層３を形成する。
［２］前記予定範囲の外周部に沿った全周に、複数の堰き止め部材４を並べて堰５を設置する。
［３］前記堰５で囲まれた範囲の調整土層３上と、前記堰５の内周面とにわたって水密状態に防水シート６を敷設する。防水シート６の表裏両面側には、それぞれ前記養生シート１２を沿わせて敷設しておく。また、堰５に設けられた貫通孔Ｈａ，Ｈｂを内空部７と連通させる。一方、貫通孔Ｈｃは、排水管１１と連通接続する。
［４］内空部７の所定位置に、前記荷重支持部材９をそれぞれ立設する。
［５］各荷重支持部材９にわたる状態に蓋部材８を載置し、その上から植栽土壌層１０ａを被せ、植物１０ｂを植えて植栽部１０を形成する（図１参照）。
【００２２】
本実施形態で説明した雨水貯留槽技術によれば、
地面を大型重機で掘削したり、型枠工事や鉄筋配筋工事を実施しなくても、上述のように、極めて簡単に設置工事を実施することができ、現場環境による施行上の制限を受け難く、且つ、作業効率の向上や施工コストの低減を図ることができる。
また、平面形状の自由性も高く、環境条件に合わせた自由な形状の雨水貯留槽を簡単に形成することができる。
また、従来のように貯留槽の内空部に礫状材を充満させるのに比べて、有効貯留容積を大きく確保し易くなり、外形は同じでも雨水貯留量の大きい雨水貯留槽を形成することができる。
更には、集中豪雨のピークをずらす洪水対策と共に、災害時の生活用水の確保の効果とを合わせもつことができる。
また、当該雨水貯留槽を撤去する必要が生じた際にも、各構成パーツを小分けして解体することが可能で、撤去作業を効率よく実施できる。また、撤去後は、特に改修工事を実施しなくても平地として復旧することができる。
【００２３】
〔別実施形態〕
以下に他の実施の形態を説明する。
【００２４】
〈１〉  前記堰き止め部材４や、荷重支持部材９や、蓋部材８は、先の実施形態で説明した材質や形状に限るものではなく、適宜、変更することが可能である。
また、先の実施形態においては、前記堰き止め部材４は、地上に形成する雨水貯留槽の外周位置全周にわたって並べて堰を形成した例を説明したが、その例に限るものではない。例えば、建物外壁や植栽構造物や他の既存構造物等を、堰の一部に利用することも可能で、この場合は、前記堰き止め部材４を全周にわたって並べなくてもよくなり、より経済性を向上させることができる。
〈２〉  前記蓋部材８の直上は、先の実施形態で説明したような植栽部１０として構成することに限るものではなく、例えば、運動場や駐車場等に利用することも可能である。
〈３〉  雨水貯留槽１への水の流入は、先の実施形態で説明した蓋部材８上に降った雨水に限るものではなく、例えば、隣接する建物の屋上に別の雨水貯留槽を設け、その雨水貯留槽からの排水を、当該雨水貯留槽１に流入させるように構成するものであってもよい。
【００２５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２６】
【図１】雨水貯留槽を示す斜視図
【図２】雨水貯留槽を示す断面図
【図３】雨水貯留槽を示す分解斜視図
【図４】雨水貯留槽の要部を示す断面図
【符号の説明】
【００２７】
１      雨水貯留槽
４      堰き止め部材
５      堰
６      防水シート
７      内空部
８      蓋部材
９      荷重支持部材
１０    植栽部
【図１】
2010150826.tif 000003
【図２】
2010150826.tif 000004
【図３】
2010150826.tif 000005
【図４】
2010150826.tif 000006